(57)【要約】【課題】被写体側が何も備えることなく、撮影中に撮影されていることを被撮影者に認識させることで、不正撮影を防止させることができるネットワークカメラを提供する。【解決手段】ネットワークカメラ１０は、ネットワークを介して接続される端末装置へ撮影したデータを送信し、端末装置から通知されるコマンドを受信するネットワーク通信部１０ａと、コマンドがレンズ動作を制御するコマンドであるときに、レンズ動作を制御するコマンドに応じてカメラ部１０ｂのレンズを動作させる制御部１０ｅと、レンズを動作させるときに制御部１０ｅから通知される音発生通知により音を鳴らす音発生部１０ｃとを備えた。【選択図】図２
2006140781.tif 000002
【特許請求の範囲】
【請求項１】
ネットワークを介して接続される端末装置へ撮影したデータを送信する送信手段を有するネットワークカメラにおいて、
前記端末装置から通知されるコマンドを受信する受信手段と、
前記コマンドがレンズ動作を制御するコマンドであるときに、前記レンズ動作を制御するコマンドに応じてレンズを動作させる制御手段と、
前記レンズを動作させるときに前記制御手段から通知される指示に従って報知動作を行なう手段とを備えたことを特徴とするネットワークカメラ。
【請求項２】
ネットワークを介して接続される端末装置へ撮影したデータを送信する送信手段を有するネットワークカメラにおいて、
前記端末装置から通知されるコマンドを受信する受信手段と、
前記コマンドが撮影開始を指示するコマンドにより撮影を開始し、前記コマンドがレンズ動作を制御するコマンドであるときに前記レンズ動作を制御するコマンドに応じてレンズを動作させる制御手段と、
撮影を開始するときに前記制御手段から通知される音発生通知により第１の音を鳴らし、前記レンズを動作させるときに前記制御手段から通知される音発生通知により第２の音を鳴らす音発生手段とを備えたことを特徴とするネットワークカメラ。
【請求項３】
前記制御手段は、前記レンズ動作を制御するコマンドが、パン動作、チルト動作、ズームアウト動作、またはズームイン動作を指示するコマンドであるときに音発生通知を前記音発生手段へ通知する機能を備えたことを特徴とする請求項１または２記載のネットワークカメラ。
【請求項４】
前記制御手段は、前記パン動作または前記チルト動作を指示する前記レンズ動作を制御するコマンドに応じてレンズを動作させたときに、レンズの向きが所定の範囲内に向いていれば、音発生通知を前記音発生手段へ通知する機能を備えたことを特徴とする請求項３記載のネットワークカメラ。
【請求項５】
前記端末装置を識別する識別情報を端末装置登録情報として格納する記憶手段を備え、
前記制御手段は、前記端末装置から送信される前記コマンドに含まれる前記識別情報が、前記端末装置登録情報に含まれているときに音発生通知を前記音発生手段へ通知する機能を備えたことを特徴とする請求項１から４のいずれかの項に記載のネットワークカメラ。
【請求項６】
前記端末装置を識別する識別情報を端末装置登録情報として格納する記憶手段を備え、
前記制御手段は、前記端末装置から送信される前記コマンドに含まれる前記識別情報が、前記端末装置登録情報に含まれていないときに音発生通知を前記音発生手段へ通知する機能を備えたことを特徴とする請求項１から４のいずれかの項に記載のネットワークカメラ。
【発明の詳細な説明】
【技術分野】
【０００１】
本発明は、動画を撮影データとしてネットワークへ送信することが可能なネットワークカメラに関する。
【背景技術】
【０００２】
ネットワークの一つであるインターネットを介して接続されるネットワークカメラがある。例えば、旅行に行く際に、このネットワークカメラを留守宅に設置してインターネットに接続された旅行先の端末装置からモニタすることで、留守宅にいるペットの様子を遠隔地で見たりすることができる。また介護を必要とする者を介護する人が遠隔地から生活の様子を監視したりすることで、介護を必要とする者は、容態が急変しても様子を伺っている人がいるので、そのときに直ぐに対応して貰えるという安心感が得られる。
【０００３】
ネットワークカメラは小型化がますます進み、部屋の片隅に設置していても目立たずに気が付かない程度の大きさまでなってきた。そうなると、このネットワークカメラをペットの監視や介護の監視を目的とした使い方以外に、悪意を持った者が隠し撮りに使用することも懸念される。
【０００４】
このような悪意を持ったものに不正撮影を防止させるものとしてカメラ付き携帯電話では、シャッターを押下して撮影する際に、シャッター音などの警告音を発生させていることが知られている。
【０００５】
また特許文献１に記載の不正撮影システムは、カメラ撮影時に撮影中信号を発信する機能を備えた撮影側のカメラ付き携帯端末と、この撮影中の信号を受信すると、撮影拒否信号を発信したり、音，光，バイブレーション，表示などで知らせたり、撮影中信号を無視したりする被写体側の一般携帯端末とからなるものである。
【特許文献１】特開２００４−８８２７３号公報
【発明の開示】
【発明が解決しようとする課題】
【０００６】
しかし、ネットワークカメラは、写真の撮影が可能な携帯電話とは異なり、撮影中は常に撮影データとしてネットワークへ送り続けているものなので、撮影時間は一瞬ではない。従って、撮影中を知らせる音を連続して鳴らしていると、ネットワークカメラが設置された部屋にいる人には、警告音を音楽として鳴らしても騒音と感じることもあり、不快である。そこで、撮影開始時のみに鳴るようにすると、時間が経過するとともに、被撮影者は、撮影されていることを忘れてしまうため、ネットワークカメラの前で監視者に見せたくない行動をしてしまうおそれもある。
【０００７】
また特許文献１に記載の不正撮影防止システムでは、被写体側にも携帯端末を持つ必要がある。
【０００８】
そこで本発明は、被写体側が何も備えることなく、撮影中に撮影されていることを被撮影者に認識させることで、不正撮影を防止させることができるネットワークカメラを提供することを目的とする。
【課題を解決するための手段】
【０００９】
本発明のネットワークカメラは、ネットワークを介して接続される端末装置へ撮影したデータを送信する送信手段を有するネットワークカメラにおいて、端末装置から通知され
るコマンドを受信する受信手段と、コマンドがレンズ動作を制御するコマンドであるときに、レンズ動作を制御するコマンドに応じてレンズを動作させる制御手段と、レンズを動作させるときに制御手段から通知される指示に従って報知動作を行なう手段とを備えたことを特徴とする。
【００１０】
また、ネットワークを介して接続される端末装置へ撮影したデータを送信する送信手段を有するネットワークカメラにおいて、端末装置から通知されるコマンドを受信する受信手段と、コマンドが撮影開始を指示するコマンドにより撮影を開始し、コマンドがレンズ動作を制御するコマンドであるときにレンズ動作を制御するコマンドに応じてレンズを動作させる制御手段と、撮影を開始するときに制御手段から通知される音発生通知により第１の音を鳴らし、レンズを動作させるときに制御手段から通知される音発生通知により第２の音を鳴らす音発生手段とを備えたことを特徴とする。
【発明の効果】
【００１１】
本発明によれば、端末装置から通知されるコマンドを受信する受信手段と、コマンドがレンズ動作を制御するコマンドであるときに、レンズ動作を制御するコマンドに応じてレンズを動作させる制御手段と、レンズを動作させるときに制御手段から通知される指示に従って報知動作を行なう手段とを備えたことにより、被写体側が何も備えることなく、撮影中であることを被撮影者に認識させることができるので、不正撮影を防止させることができる。
【００１２】
また、端末装置から通知されるコマンドを受信する受信手段と、コマンドが撮影開始を指示するコマンドにより撮影を開始し、コマンドがレンズ動作を制御するコマンドであるときにレンズ動作を制御するコマンドに応じてレンズを動作させる制御手段と、撮影を開始するときに制御手段から通知される音発生通知により第１の音を鳴らし、レンズを動作させるときに制御手段から通知される音発生通知により第２の音を鳴らす音発生手段とを備えたことにより、被写体側が何も備えることなく、撮影開始時とは異なる音で、撮影中であることを被撮影者に認識させることができるので、不正撮影を防止させることができる。
【発明を実施するための最良の形態】
【００１３】
本願の第１の発明は、ネットワークを介して接続される端末装置へ撮影したデータを送信する送信手段を有するネットワークカメラにおいて、端末装置から通知されるコマンドを受信する受信手段と、コマンドがレンズ動作を制御するコマンドであるときに、レンズ動作を制御するコマンドに応じてレンズを動作させる制御手段と、レンズを動作させるときに制御手段から通知される指示に従って報知動作を行なう手段とを備えたことを特徴としたものである。
【００１４】
レンズ動作を制御するコマンドを受信手段が受信して、制御手段がレンズ動作を行い、音発生通知を音発生手段へ通知することで、音発生手段が音を発生させるので、撮影開始から暫く時間が経過して、ネットワークカメラに撮影されていることを忘れていても、レンズの動作とともに発生する音で撮影されていることに気付かされる。従って、被写体側が何も備えることなく、撮影中に撮影されていることを被撮影者に認識させることで、見ている者に対して不正撮影を防止させることができる。また不正な撮影が行われても、被撮影者はその撮影に気が付き行動を規制することができる。
【００１５】
本願の第２の発明は、ネットワークを介して接続される端末装置へ撮影したデータを送信する送信手段を有するネットワークカメラにおいて、端末装置から通知されるコマンドを受信する受信手段と、コマンドが撮影開始を指示するコマンドにより撮影を開始し、コマンドがレンズ動作を制御するコマンドであるときにレンズ動作を制御するコマンドに応
じてレンズを動作させる制御手段と、撮影を開始するときに制御手段から通知される音発生通知により第１の音を鳴らし、レンズを動作させるときに制御手段から通知される音発生通知により第２の音を鳴らす音発生手段とを備えたことを特徴としたものである。
【００１６】
端末装置から通知される撮影開始を指示するコマンドおよびレンズ動作を制御するコマンドを受信手段が受信して、制御手段が撮影開始を指示するコマンドに基づいて撮影を開始し、レンズ動作を制御するコマンドに応じてレンズを動作させ、音発生手段が、撮影を開始した制御手段の通知に基づいて第１の音を鳴らし、レンズを動作させた制御手段の通知に基づいて第２の音を鳴らすので、撮影開始には第１の音で撮影されていることに気付いていたが、撮影開始から暫く時間が経過して、ネットワークカメラに撮影されていることを被撮影者が忘れていても、レンズの動作とともに撮影開始時とは異なる第２の音が鳴るので、撮影されていることに気が付くことができる。従って、被写体側が何も備えることなく、撮影中に撮影されていることを被撮影者に認識させることで、見ている者に対して不正撮影を防止させることができる。また不正な撮影が行われても、被撮影者はその撮影に気が付き行動を規制することができる。
【００１７】
本願の第３の発明は、制御手段は、レンズ動作を制御するコマンドが、パン動作、チルト動作、ズームアウト動作、またはズームイン動作を指示するコマンドであるときに音発生通知を音発生手段へ通知する機能を備えたことを特徴としたものである。
【００１８】
制御手段が、レンズ動作を制御するコマンドにより、パン動作、チルト動作、ズームアウト動作、またはズームイン動作をしたときに、音発生手段から音が鳴るので、レンズが被撮影者の方向を向いていないと安心していても、パン動作またはチルト動作とともに発生する音で撮影されていることに気が付くことができる。また、ズームアウト動作やズームイン動作をするとともに発生する音で監視者が操作していることに気が付くことができる。
【００１９】
本願の第４の発明は、制御手段は、パン動作またはチルト動作を指示するレンズ動作を制御するコマンドに応じてレンズを動作させたときに、レンズの向きが所定の範囲内に向いていれば、音発生通知を音発生手段へ通知する機能を備えたことを特徴としたものである。
【００２０】
制御手段が、パン動作またはチルト動作を指示するレンズ動作を制御するコマンドに応じてレンズを動作させたときに、レンズの向きが所定の範囲に向いていれば、音発生手段から音が鳴るので、例えば事務所などに設置された端末装置で、遠隔地にいる複数人をモニタするような場合、自分の方をレンズが向いたときに音を出すように範囲指定すれば、自分が見られていることをレンズの向きを見ていなくても音で知ることができ、行動を規制することができる。
【００２１】
本願の第５の発明は、端末装置を識別する識別情報を端末装置登録情報として格納する記憶手段を備え、制御手段は、端末装置から送信されるコマンドに含まれる識別情報が、端末装置登録情報に含まれているときに音発生通知を音発生手段へ通知する機能を備えたことを特徴としたものである。
【００２２】
記憶手段に端末装置登録情報として格納されており、この端末装置登録情報として登録された識別情報が、受信手段が受信したコマンドに含まれていれば、制御手段が音発生手段に音発生通知を通知することでネットワークカメラから音が鳴るので、ネットワークカメラを操作する端末装置を特定することで、被撮影者に監視者を認識させることができる。従って、被撮影者は不安を解消することが可能である。例えば、介護が必要な人の家族が使用する端末装置の識別情報を記憶手段に予め登録しておけば、家族がネットワークカ
メラを操作する際に音がするので、家族に見守られていると介護が必要な人は思い、安心して生活することができる。
【００２３】
本願の第６の発明は、端末装置を識別する識別情報を端末装置登録情報として格納する記憶手段を備え、制御手段は、端末装置から送信されるコマンドに含まれる識別情報が、端末装置登録情報に含まれていないときに音発生通知を音発生手段へ通知する機能を備えたことを特徴としたものである。
【００２４】
記憶手段に端末装置登録情報として格納されており、この端末装置登録情報として登録されていない識別情報が、受信手段が受信したコマンドに含まれていれば、制御手段が音発生手段に音発生通知を通知することでネットワークカメラから音が鳴るので、ネットワークカメラを操作する端末装置を特定することで、被撮影者に監視者を認識させることができる。従って、被撮影者は不安を解消することが可能である。例えば、知り合いが使用する端末装置の識別情報を記憶手段に予め登録しておけば、知らない人が記憶手段に識別情報が登録されていない端末装置からネットワークカメラを操作すると、ネットワークカメラから音がするので、被撮影者は見られていることを認識することができ、行動を規制することができる。
【００２５】
（実施の形態）
本発明の実施の形態に係るネットワークカメラの構成を図１および図２に基づいて説明する。図１は、本発明の実施の形態に係るネットワークカメラを用いたネットワークカメラシステムの構成を説明する図である。図２は、本発明の実施の形態に係るネットワークカメラの構成を説明する図である。
【００２６】
まず、ネットワークカメラシステムの構成について図１に基づいて説明する。図１に示すように、ネットワークカメラシステム１は、部屋Ａにネットワークカメラ１０がＬＡＮ（Local Area Network）で接続されたルータ２を経由してインターネット３に接続されている。部屋Ａには被撮影者Ｍが生活しており、ネットワークカメラ１０で撮影されている。被撮影者Ｍは、介護が必要な人や、退院したばかりの人である。
【００２７】
監視者は、インターネット３に接続された端末装置４（４ａ，４ｂ）を操作してネットワークカメラ１０を操作する。端末装置４はパーソナルコンピュータなどであり、監視者は端末装置４上で動作するブラウザなどの閲覧ソフトにより撮影データを閲覧する。端末装置４がネットワークカメラ１０へアクセスするときは、ネットワークカメラ１０に割り当てられたＵＲＬ（Uniform Resource Locator）をブラウザで指定して行う。
【００２８】
なお、図１においては便宜上端末装置４ａ，４ｂの２台のみを図示しているが３台以上ネットワークカメラ１０へアクセスするようにしても、ネットワークカメラ１０が撮影データを送信可能な能力を有していれば可能である。
【００２９】
次にネットワークカメラ１０の構成について図２に基づいて説明する。図２に示すように、ネットワークカメラ１０は、ネットワーク通信部１０ａと、カメラ部１０ｂと、音発生部１０ｃと、記憶部１０ｄと、制御部１０ｅとを備えている。
【００３０】
ネットワーク通信部１０ａは、端末装置４へ撮影したデータを送信する送信手段としての機能や、端末装置４から通知されるコマンドを受信する受信手段としての機能を有している。ルータ２との接続には、ＬＡＮの一例である１００Ｂａｓｅ−Ｔなどの他に、ＵＳＢ（Universal Serial Bus）などのインタフェースとすることができる。ネットワーク通信部１０ａは、端末装置４と通信する際には、端末装置４上で動作するブラウザに表示可能なように、ＨＴＭＬ（HyperText Markup Language）で送信される。
【００３１】
カメラ部１０ｂは、ネットワーク通信部１０ａを介して、撮影したデータを出力する。またカメラ部１０ｂは、レンズを動作する機能であるチルト動作、パン動作、ズームイン動作、またはズームアウト動作などを制御部１０ｅの指示により行う。
【００３２】
音発生部１０ｃは、制御部１０ｅから音発生通知を受けると所定の音を発生する音発生手段である。この音発生部１０ｃは、複数種類の音を発生する機能を有しており、断続音、連続音、または音楽などを制御部１０ｅから通知される音発生通知の内容に応じて鳴らすことができる。本実施の形態では、断続音、連続音、または音楽などの音源を音発生部１０ｃが備えているが、記憶部１０ｄに音源を格納しておき、記憶部１０ｄから読み込むようにしてもよい。
【００３３】
記憶部１０ｄは、ネットワークカメラ１０をアクセスする端末装置４を識別する識別情報を端末装置登録情報として格納する記憶手段である。また、端末装置登録情報の他に、ネットワークカメラ１０がインターネット３へアクセスするためのＩＰアドレスやデフォルトゲートウエイなどの設定や、被撮影者Ｍを監視する際に、監視していることを被撮影者Ｍへ知らせるための音を鳴らす条件などを監視通知設定として格納している。
【００３４】
制御部１０ｅは、端末装置４からネットワーク通信部１０ａを介して受信したコマンドを解析し、その内容に応じてカメラ部１０ｂへ撮影の開始や終了を指示したり、レンズ動作を指示したりする。また、その際に記憶部１０ｄに格納された監視通知設定の内容に応じて音発生部１０ｃに対して音発生通知を通知する。
【００３５】
以上のように構成されるネットワークカメラ１０の動作を決定する監視通知設定の内容を図３から図６に基づいて説明する。図３から図６は、ネットワークカメラ１０の記憶部１０ｄに格納される監視通知設定を説明する画面表示の一例を示す図である。
【００３６】
まず監視者が操作する端末装置４ａ，４ｂのうち、端末装置４ａは、ネットワークカメラ１０の管理者であり、ネットワークカメラ１０の音発生設定を設定する権限を有している。従って、この監視通知設定は、端末装置４ａを操作する管理者が設定する。
【００３７】
図３に示すように、まず上段から「監視通知設定」のラジオボタンの「する」を有効とすることで、監視通知設定の全てが有効となる。この「監視通知設定」の「しない」を有効とすると他の設定は、グレイアウトして設定できなくなるようにしている。
【００３８】
次に「撮影開始時」のラジオボタンの「する」を有効とすると、端末装置４ａ，４ｂから撮影開始を指示するコマンドを受信したときに、制御部１０ｅは、撮影の開始をカメラ部１０ｂへ通知するとともに、音発生部１０ｃへ音を鳴らす音発生通知を通知する。この音発生通知により音発生部１０ｃは音を鳴らす。
【００３９】
「撮影終了時」のラジオボタンの「する」を有効とすると、端末装置４から撮影終了を指示するコマンドを受信したときに、制御部１０ｅは、撮影の終了をカメラ部１０ｂへ通知するとともに、音発生部１０ｃへ音を鳴らす音発生通知を通知する。この音発生通知により音発生部１０ｃは音を鳴らす。
【００４０】
「パン・チルト」のラジオボタンの「する」を有効とすると、端末装置４からレンズ動作であるパン動作やチルト動作を指示するコマンドを受信したときに、制御部１０ｅは、レンズ動作をカメラ部１０ｂへ通知するとともに、音発生部１０ｃへ音を鳴らす音発生通知を通知する。この音発生通知により音発生部１０ｃは音を鳴らす。
【００４１】
この「パン・チルト」の設定を「する」としたときに、レンズの向きの範囲が所定範囲内であれば音を鳴らすようにすることも可能である。それは「範囲指定」をマウスなどのポインティングデバイスで押下すると、リンクされた図４に示される画面により、範囲の指定を行うことにより可能となる。
【００４２】
図４に示すように、カメラ部１０ｂが撮影している現在の映像が右側に表示されている。監視者は、左上段に表示されているパン・チルト操作ボタン（三角ボタン）のそれぞれを操作することで、端末装置４ａからレンズ動作を指示するコマンドがネットワークカメラ１０へ通知される。レンズ動作を指示するコマンドに応じて制御部１０ｅは、パン動作またはチルト動作の指示をカメラ部１０ｂへ行う。カメラ部１０ｂは、レンズの方向を変えるとともに、レンズの向きに応じた撮影データを、ネットワーク通信部１０ａを介して端末装置４ａへ送信する。
【００４３】
監視者は、図４に示される画面の映像を見ながら、音を鳴らす範囲の上端、下端、左端、または右端となったときに「上端」ボタン、「下端」ボタン、「左端」ボタン、「右端」ボタンである範囲決定ボタンをそれぞれ押下して、音を鳴らす範囲を決定する。「上端」ボタン、「下端」ボタン、「左端」ボタン、または「右端」ボタンが押下されることで、端末装置４ａから範囲決定ボタンが押下された旨の通知がネットワークカメラ１０へされると、ネットワークカメラ１０の制御部１０ｅは、記憶部１０ｄにその範囲の設定を格納する。その設定は、カメラ部のレンズがまっすぐ向いた状態を左右方向、上下方向の０°として、左右にパン動作する範囲である右端および左端と、上下にチルト動作する範囲である上端および下端を角度または変位量で表して記憶部１０ｄに格納される。
【００４４】
パン動作またはチルト動作を指示するコマンドが通知されたときに、必ず音を鳴らすようにするためには、ネットワークカメラ１０のカメラ部１０ｂがパン動作可能な最大の範囲およびチルト動作可能な最大の範囲を右端、左端、上端および下端として範囲設定することで可能となる。また本実施の形態では、範囲指定の有効および無効の設定を設けていないが、図３に示される「パン・チルト」のラジオボタンの他に、新たに範囲指定の有効または無効を設定するラジオボタンを設けることで、「パン・チルト」のラジオボタンの設定を「する」とし、範囲指定の有効および無効を示すラジオボタンを「しない」としたときに、パン動作またはチルト動作のコマンドが通知されたときは、必ず音を鳴らすように制御部１０ｅが音発生通知を音発生部１０ｃへ通知するようにしてもよい。
【００４５】
図３に戻って、「ズームイン・ズームアウト」のラジオボタンの「する」を有効とすると、端末装置４からレンズ動作であるズームイン動作やズームアウト動作を指示するコマンドの通知を受信したときに、制御部１０ｅは、カメラ部１０ｂへレンズ動作を通知するとともに、音発生部１０ｃへ音を鳴らす音発生通知を通知する。この音発生通知により音発生部１０ｃは音を鳴らす。
【００４６】
図５は、図３を縦スクロールした画面である。図５に示すように、「登録ユーザの設定」のラジオボタンの「する」を有効とすると、次の「ユーザ毎の音指定」が有効となる。
【００４７】
「ユーザ毎の音指定」は、予めネットワークカメラ１０の記憶部１０ｄに登録されている登録ユーザが、ネットワークカメラ１０を操作するときに鳴らす音を選択する設定である。音の指定は、プルダウンメニュー（ドロップダウンメニュー）により選択する。図５の例では、ユーザＡが操作するときは音Ａが鳴り、ユーザＢが操作するときは音Ｂが鳴ることを示している。この登録ユーザとは、監視者をユーザとして予めＩＤとパスワードを登録しておき、操作開始時に監視者を認証することで、監視者を特定するものである。つまり登録されている監視者は登録ユーザとし、登録されていないものはゲストとしてネットワークカメラ１０を操作させることになる。
【００４８】
従って、ゲストとして認証を得たものは「登録ユーザ以外の設定」のラジオボタンの「する」を有効とすると、登録ユーザ以外のユーザ（監視者）がネットワークカメラ１０を操作したときに、どのような音を鳴らすかを選択することができる。図５の例では、「登録ユーザ以外の設定」のラジオボタンの「する」を有効としているので、登録ユーザ以外がゲストとしてネットワークカメラ１０を操作する際には、音発生部１０ｃから音Ｄが鳴る。
【００４９】
図６は、図５を縦スクロールした画面である。図６に示すように、「登録端末装置の設定」のラジオボタンの「する」を有効とすると、次の「端末装置毎の音指定」が有効となる。
【００５０】
「端末装置毎の音指定」は、予めネットワークカメラ１０の記憶部１０ｄに端末装置登録情報として登録しておき、この登録された端末装置４から通知されるコマンドによりネットワークカメラ１０を操作するときに鳴らす音を選択する設定である。音の設定は、プルダウンメニュー（ドロップダウンメニュー）により選択する。図６の例では、端末装置Ａからコマンドが送信されたときは音Ｅが鳴り、端末装置Ｂからコマンドが送信されたときには音Ｆが鳴ることを示している。この登録された端末装置とは、コマンドの通知に含まれる、例えばＩＰ（Internet Protocol）アドレスや、ＭＡＣ（Media Access Control）アドレスを予め登録しておくことで、端末装置４を特定するものである。従って、登録されていない端末装置４からのコマンドを受信した場合には、「登録端末装置以外の設定」により音を鳴らすか否かを決定する。「登録端末装置以外の設定」のラジオボタンの「する」を有効とすると、登録端末装置以外の端末装置がコマンドを通知したときに、どのような音を鳴らすかを選択することができる。図６の例では、「登録端末装置以外の設定」のラジオボタンの「する」を有効としているので、登録された端末装置以外がコマンドを通知してネットワークカメラ１０を操作する際には、音発生部１０ｃから音Ｈが鳴る。
【００５１】
次に、このように図３から図６に示すように監視通知設定が設定されるネットワークカメラ１０の動作を図７および図１１に基づいて説明する。図７から図１１は、本発明の実施の形態に係るネットワークカメラ１０の動作を説明するフローチャートである。
【００５２】
図７に示すように、ネットワークカメラ１０の制御部１０ｅは、ネットワーク通信部１０ａを介してコマンドの受信待ちをする（Ｓ１００）。
【００５３】
コマンドを受信した場合には、制御部１０ｅはこのコマンドの解析を行う。まず撮影開始を指示するコマンドが否かを判定する（Ｓ１１０）。
【００５４】
Ｓ１１０にて、撮影開始を指示するコマンドであると判定された場合には、制御部１０ｅは撮影開始をカメラ部１０ｂへ通知する。カメラ部１０ｂは、撮影したデータを、撮影開始を指示するコマンドを送信した端末装置４へ送信する（Ｓ１２０）。そしてＳ２５０の音発生処理へ移行する。
【００５５】
Ｓ１１０にて、撮影開始を指示するコマンドでないと判定された場合には、制御部１０ｅは撮影終了を指示するコマンドか否かを判定する（Ｓ１３０）。
【００５６】
Ｓ１３０にて、撮影終了を指示するコマンドであると判定された場合には、制御部１０ｅは撮影終了をカメラ部１０ｂへ通知する。撮影終了の通知を受けたカメラ部１０ｂは、撮影したデータの送信をやめる（Ｓ１４０）。そしてＳ２５０の音発生処理へ移行する。
【００５７】
Ｓ１３０にて、撮影終了を指示するコマンドでないと判定された場合には、制御部１０
ｅはパン動作を指示するコマンドか否かを判定する（Ｓ１５０）。
【００５８】
Ｓ１５０にて、パン動作を指示するコマンドであると判定された場合には、制御部１０ｅはパン動作をカメラ部１０ｂへ通知する。パン動作の指示を受けたカメラ部１０ｂは、パン動作を指示するコマンドで指定された左方向または右方向へレンズの向きを変える（Ｓ１６０）。そしてＳ２５０の音発生処理へ移行する。
【００５９】
Ｓ１５０にて、パン動作を指示するコマンドでないと判定された場合には、制御部１０ｅはチルト動作を指示するコマンドか否かを判定する（Ｓ１７０）。
【００６０】
Ｓ１７０にて、チルト動作を指示するコマンドであると判定された場合には、制御部１０ｅはチルト動作をカメラ部１０ｂへ通知する。チルト動作の指示を受けたカメラ部１０ｂは、チルト動作を指示するコマンドで指定された上方向または下方向へレンズの向きを変える（Ｓ１８０）。そしてＳ２５０の音発生処理へ移行する。
【００６１】
Ｓ１７０にて、チルト動作を指示するコマンドでないと判定された場合には、制御部１０ｅはズームイン動作を指示するコマンドか否かを判定する（Ｓ１９０）。
【００６２】
Ｓ１９０にて、ズームイン動作を指示するコマンドであると判定された場合には、制御部１０ｅはズームイン動作をカメラ部１０ｂへ通知する。ズームイン動作の指示を受けたカメラ部１０ｂは、レンズをズームイン動作させることで被撮影者Ｍの拡大映像を送信する（Ｓ２００）。そしてＳ２５０の音発生処理へ移行する。
【００６３】
Ｓ１９０にて、ズームイン動作を指示するコマンドでないと判定された場合には、制御部１０ｅはズームアウト動作を指示するコマンドか否かを判定する（Ｓ２１０）。
【００６４】
Ｓ２１０にて、ズームアウト動作を指示するコマンドであると判定された場合には、制御部１０ｅはズームアウト動作をカメラ部１０ｂへ通知する。ズームアウト動作の指示を受けたカメラ部１０ｂは、レンズをズームアウト動作させることで視野角を広げた映像を送信する（Ｓ２２０）。そしてＳ２５０の音発生処理へ移行する。
【００６５】
Ｓ２１０にて、ズームアウト動作を指示するコマンドでないと判定された場合には、制御部１０ｅは他のコマンドか否かを判定する（Ｓ２３０）。
【００６６】
Ｓ２３０にて、他のコマンドであると判定された場合には、制御部１０ｅはコマンドの内容を解析して、コマンドの内容に応じた処理を行う。例えば、図３から図６に示される監視通知設定の設定コマンドであれば、記憶部１０ｄにこの監視通知設定の内容を格納する（Ｓ２４０）。そしてＳ２５０の音発生処理へ移行する。
【００６７】
Ｓ２３０にて、他のコマンドでないと判定された場合には、制御部１０ｅはＳ１００へ移行してコマンド待ちとなる。
【００６８】
Ｓ２５０では、監視通知設定の内容に応じて制御部１０ｅが音発生部１０ｃに音発生通知を通知する。ここでＳ２５０の音発生処理について図８から図１１に基づいて詳細に説明する。
【００６９】
図８に示すように、まず監視通知設定が有効か否かを判定する。これは図３に示される上段の「監視通知設定」のラジオボタンにより設定された内容である。この設定が無効である場合には、ネットワークカメラ１０から音が鳴ることはないので、音発生処理を終了する（Ｓ３００）。
【００７０】
監視通知設定が有効である場合には、登録ユーザ音発生処理を行う（Ｓ３１０）。ここで、この登録ユーザ音発生処理について図９に基づいて詳細に説明する。
【００７１】
図９に示すように、登録ユーザ音発生処理は、図５に示される「登録ユーザの設定」が有効か無効かを判定する。そして無効であれば、この登録ユーザ音発生処理を終了する（Ｓ４００）。
【００７２】
「登録ユーザの設定」が有効であれば、このコマンドを送信した監視者（ユーザ）は、記憶部１０ｄに監視通知設定に登録されたユーザであるか否かを判定する（Ｓ４１０）。
【００７３】
Ｓ４１０にて、監視通知設定に登録されているユーザであれば、制御部１０ｅは、監視通知設定で設定された音に応じた音発生通知を音発生部１０ｃへ通知する。例えば、図５に示されるユーザＣが操作しているのであれば、音Ｃを鳴らすように制御部１０ｅは音発生通知を音発生部１０ｃへ通知する。音発生部１０ｃは、音Ｃを鳴らす音発生通知を受けると音Ｃを鳴らして登録ユーザ音発生処理を終了する（Ｓ４２０）。
【００７４】
Ｓ４１０にて、登録されていないユーザであれば、制御部１０ｅは「登録ユーザ以外の設定」が有効か無効かを判定する。そして無効であれば登録ユーザ音発生処理を終了する（Ｓ４３０）。
【００７５】
Ｓ４３０にて、「登録ユーザ以外の設定」が有効であれば、制御部１０ｅは監視通知設定で設定された登録ユーザ以外のユーザである場合に鳴らす音に応じた音発生通知を音発生部１０ｃへ通知する。例えば、図５に示される設定では、音Ｄを鳴らすように制御部１０ｅは音発生通知を音発生部１０ｃへ通知する。音発生部１０ｃは音Ｄを鳴らす音発生通知を受けると音Ｄを鳴らして、登録ユーザ音発生処理を終了する（Ｓ４４０）。
【００７６】
このように、ネットワークカメラ１０を操作するユーザ（監視者）を特定することで、被撮影者Ｍに監視者を認識させることができる。従って、被撮影者Ｍは不安を解消することが可能である。例えば、登録されたユーザがネットワークカメラ１０を操作したときに音が鳴るように設定しておき、被撮影者Ｍが介護が必要な人であり、その家族が登録ユーザとして記憶部１０ｄに予め登録しておけば、家族がネットワークカメラ１０を操作する際に音がするので、家族に見守られていると介護が必要な人は思い、安心して生活することができる。
【００７７】
また、登録されていないユーザがネットワークカメラ１０を操作したときに音が鳴るように設定しておき、知り合いを登録ユーザとして記憶部１０ｄに予め登録しておけば、知らない人が端末装置４を操作してネットワークカメラ１０を操作すると、ネットワークカメラ１０から音がするので、被撮影者Ｍは見られていることを認識することができ、行動を規制することができる。
【００７８】
図８に戻って、登録ユーザ音発生処理を終了すると、制御部１０ｅが音を鳴らすための音発生通知を音発生部１０ｃへ通知する音発生処理を行ったか否かを判定する（Ｓ３２０）。これは、登録ユーザに応じて音を鳴らした場合に、これ以降の他の条件で音を鳴らすと、音が重複することになるため、被撮影者Ｍは何で鳴った音か判別ができなくなることを防止するためである。Ｓ３２０にて、登録ユーザに応じた音処理を行った場合には、音発生処理を終了する。
【００７９】
Ｓ３２０にて、登録ユーザに応じた音処理を行っていない場合には、登録端末装置音発生処理を行う（Ｓ３３０）。ここで、登録端末装置音発生処理について図１０に基づいて
詳細に説明する。
【００８０】
図１０に示すように、登録端末装置音発生処理は、図６に示される「登録端末装置の設定」が有効か無効かを判定する。そして無効であれば、この登録ユーザ音発生処理を終了する（Ｓ５００）。
【００８１】
「登録端末装置の設定」が有効であれば、このコマンドを送信した端末装置４は記憶部１０ｄに監視通知設定に登録されたものであるか否かを判定する（Ｓ５１０）。
【００８２】
Ｓ５１０にて、監視通知設定に登録されている端末装置４であれば、制御部１０ｅは監視通知設定で設定された音に応じた音発生通知を音発生部１０ｃへ通知する。例えば、図６に示される端末装置Ａであれば、音Ｅを鳴らすように制御部１０ｅは音発生通知を音発生部１０ｃへ通知する。音発生部１０ｃは、音Ｅを鳴らす音発生通知を受けると音Ｅを鳴らして登録端末装置音発生処理を終了する（Ｓ５２０）。
【００８３】
Ｓ５１０にて、登録されていない端末装置４であれば、制御部１０ｅは「登録端末装置以外の設定」が有効か無効かを判定する。そして無効であれば登録端末装置音発生処理を終了する（Ｓ５３０）。
【００８４】
Ｓ５３０にて、「登録端末装置以外の設定」が有効であれば、制御部１０ｅは監視通知設定で設定された登録端末装置以外の端末装置４である場合に鳴らす音に応じた音発生通知を音発生部１０ｃへ通知する。例えば、図６に示される設定では、音Ｈを鳴らすように制御部１０ｅは音発生通知を音発生部１０ｃへ通知する。音発生部１０ｃは音Ｈを鳴らす音発生通知を受けると音Ｈを鳴らして、登録ユーザ音発生処理を終了する（Ｓ５４０）。
【００８５】
このように、ネットワークカメラ１０を操作する端末装置４を特定することで、被撮影者Ｍに監視者を認識させることができる。従って、被撮影者Ｍは不安を解消することが可能である。例えば、登録された端末装置４がネットワークカメラ１０を操作したときに音が鳴るように設定しておき、被撮影者Ｍが介護が必要な人であり、その家族が使用する端末装置４のＩＰアドレスやＭＡＣアドレスを端末装置登録情報として記憶部１０ｄに予め登録しておけば、家族がネットワークカメラ１０を操作する際に音がするので、家族に見守られていると介護が必要な人は思い、安心して生活することができる。
【００８６】
また、登録されていない端末装置４がネットワークカメラ１０を操作したときに音が鳴るように設定しておき、知り合いが使用する端末装置のＩＰアドレスやＭＡＣアドレスを端末装置登録情報として記憶部１０ｄに予め登録しておけば、知らない人が登録されていない端末装置４を操作してネットワークカメラ１０を操作すると、ネットワークカメラ１０から音がするので、被撮影者Ｍは見られていることを認識することができ、行動を規制することができる。
【００８７】
図８に戻って、登録端末装置音発生処理を終了すると、制御部１０ｅが音を鳴らすための音発生通知を音発生部１０ｃへ通知する音発生処理を行ったか否かを判定する（Ｓ３４０）。これは、Ｓ３２０での同じ理由での判定である。
【００８８】
Ｓ３４０にて、登録端末装置に応じた音処理を行っていない場合には、コマンド音発生処理を行う（Ｓ３５０）。Ｓ３５０でのコマンド音発生処理を終了すると音発生処理を終了する。ここで、コマンド音発生処理について図１１に基づいて詳細に説明する。
【００８９】
図１１に示すように、コマンド音発生処理は、まず通知されたコマンドが、撮影開始または撮影終了を指示するコマンドかを制御部１０ｅが判定する（Ｓ６００）。
【００９０】
Ｓ６００にて、通知されたコマンドが有効か無効かを制御部１０ｅが判定する。撮影開始又は終了を指示するコマンドである場合には、図３に示される「撮影開始／終了」の設定が、有効か無効かを制御部１０ｅが判定する。設定が無効である場合には、このコマンド音発生処理を終了する。設定が有効である場合には、制御部１０ｅは、Ｓ６７０へ移行する（Ｓ６１０）。
【００９１】
Ｓ６００にて、通知されたコマンドが、撮影開始または撮影終了を指示するコマンドでない場合、次にズームイン動作またはズームアウト動作を指示するコマンドか否かを制御部１０ｅが判定する（Ｓ６２０）。
【００９２】
Ｓ６２０にて、コマンドがズームイン動作またはズームアウト動作を指示するコマンドである場合には、図３に示される「ズームイン・ズームアウト」の設定が有効か無効かを制御部１０ｅが判定する。設定が無効である場合には、このコマンド音発生処理を終了する。設定が有効である場合には、制御部１０ｅは、Ｓ６７０へ移行する（Ｓ６３０）。
【００９３】
Ｓ６２０にて、通知されたコマンドが、ズームイン動作またはズームアウト動作を指示するコマンドでない場合、次にパン動作またはチルト動作を指示するコマンドか否かを制御部１０ｅが判定する。判定した結果、パン動作またはチルト動作を指示するコマンドでない場合には、コマンド音発生処理を終了する（Ｓ６４０）。
【００９４】
Ｓ６４０にて、コマンドがパン動作またはチルト動作を指示するコマンドである場合には、図３に示される「パン・チルト」の設定が有効か無効かを制御部１０ｅが判定する。設定が無効である場合には、このコマンド音発生処理を終了する（Ｓ６５０）。
【００９５】
Ｓ６５０にて、設定が有効である場合には、レンズをこのコマンドによりパン動作またはチルト動作させたときに、レンズの向きの範囲が図４で設定された監視通知設定の範囲内か否かを制御部１０ｅが判定する。範囲外である場合にはコマンド音発生処理を終了する（Ｓ６６０）。
【００９６】
Ｓ６７０では、通知されたコマンドに対する設定が有効である場合に、制御部１０ｅは音を鳴らすために音発生通知を音発生部１０ｃへ通知する。
【００９７】
なお、通知されたコマンドが、撮影開始を指示するコマンドであったときに制御部１０ｅが音発生通知を音発生部１０ｃへ通知して鳴らす音と、ズームイン動作、ズームアウト動作、パン動作またはチルト動作を指示するコマンドであったときに、制御部１０ｅが音発生通知を音発生部１０ｃへ通知して鳴らす音とを、異なる音とすることが望ましい。これは、撮影開始には第１の音で撮影されていることに気付いていたが、撮影開始から暫く時間が経過して、ネットワークカメラ１０に撮影されていることを被撮影者Ｍが忘れていても、ズームイン動作、ズームアウト動作、パン動作またはチルト動作とともに撮影開始時とは異なる音が鳴るので、撮影されていることに気が付くことができる。従って、被写体側が何も備えることなく、撮影中に撮影されていることを被撮影者Ｍに認識させることで、見ている者に対して不正撮影を防止させることができる。また不正な撮影が行われても、被撮影者Ｍはその撮影に気が付き行動を規制することができる。
【００９８】
なお、本実施の形態では、図８に示される音発生処理として、Ｓ３１０での登録ユーザ音発生処理、またはＳ３３０での登録端末装置音発生処理を、Ｓ３５０でのコマンド音発生処理の前に、実行するか否かを判断しているが、コマンド音発生処理の中での判断と論理積をとるようにしてもよい。つまり、本実施の形態では、通知されたコマンドに関わらず、登録されたユーザあるいは端末装置、または登録されていないユーザあるいは端末装
置に応じて音を鳴らすようにしているが、ズームイン動作、ズームアウト動作、パン動作またはチルト動作を通知した端末装置あるいはユーザ（監視者）が、登録されているか否かで、音を鳴らすようにしてもよい。
【産業上の利用可能性】
【００９９】
本発明は、被写体側が何も備えることなく、撮影中であることを被撮影者に認識させることができ、不正撮影を防止させることができるので、動画を撮影データとしてネットワークへ送信することが可能なネットワークカメラに好適である。
【図面の簡単な説明】
【０１００】
【図１】本発明の実施の形態に係るネットワークカメラを用いたネットワークカメラシステムの構成を説明する図
【図２】本発明の実施の形態に係るネットワークカメラの構成を説明する図
【図３】ネットワークカメラの記憶部に格納される監視通知設定を説明する画面表示の一例を示す図
【図４】ネットワークカメラの記憶部に格納される監視通知設定を説明する画面表示の一例を示す図
【図５】ネットワークカメラの記憶部に格納される監視通知設定を説明する画面表示の一例を示す図
【図６】ネットワークカメラの記憶部に格納される監視通知設定を説明する画面表示の一例を示す図
【図７】本発明の実施の形態に係るネットワークカメラの動作を説明するフローチャート
【図８】本発明の実施の形態に係るネットワークカメラの動作を説明するフローチャート
【図９】本発明の実施の形態に係るネットワークカメラの動作を説明するフローチャート
【図１０】本発明の実施の形態に係るネットワークカメラの動作を説明するフローチャート
【図１１】本発明の実施の形態に係るネットワークカメラの動作を説明するフローチャート
【符号の説明】
【０１０１】
１    ネットワークカメラシステム
２    ルータ
３    インターネット
４，４ａ，４ｂ    端末装置
１０    ネットワークカメラ
１０ａ    ネットワーク通信部
１０ｂ    カメラ部
１０ｃ    音発生部
１０ｄ    記憶部
１０ｅ    制御部
Ａ    部屋
Ｍ    被撮影者
【図１】
2006140781.tif 000003
【図２】
2006140781.tif 000004
【図３】
2006140781.tif 000005
【図４】
2006140781.tif 000006
【図５】
2006140781.tif 000007
【図６】
2006140781.tif 000008
【図７】
2006140781.tif 000009
【図８】
2006140781.tif 000010
【図９】
2006140781.tif 000011
【図１０】
2006140781.tif 000012
【図１１】
2006140781.tif 000013